(57)【要約】【課題】画像表示装置の表面に装着される導電性膜を有するフィルムまたはガラス板の表面の管理および電気特性の適否を容易にかつ簡単にでき、かつ電磁波シールド効果に優れた透明構造体を提供すること。【解決手段】プラスチックフィルムおよびガラス板を積層した電磁波シールド機能を有する透明構造体において該プラスチックフィルムまたは該ガラス板には、それらのいずれかの積層面には透明導電性膜（Ａ）が一体化され、その透明導電性膜（Ａ）の周辺部には少なくとも２本の独立した電極ライン（Ｂ）が形成されていることを特徴とする電磁波シールド機能を有する透明構造体。【選択図】      図３
2007248829.tif 000002
【特許請求の範囲】
【請求項１】
プラスチックフィルムおよびガラス板を積層した電磁波シールド機能を有する透明構造体において該プラスチックフィルムまたは該ガラス板には、それらのいずれかの積層面には透明導電性膜（Ａ）が一体化され、その透明導電性膜（Ａ）の周辺部には少なくとも２本の独立した電極ライン（Ｂ）が形成されていることを特徴とする電磁波シールド機能を有する透明構造体。
【請求項２】
２本の独立した電極ラインのそれぞれの端部が接続可能となるように配線端子に接続されている請求項１記載の透明構造体。
【請求項３】
該プラスフィルムがポリエチレンテレフタレートフィルムである請求項１記載の透明構造体。
【請求項４】
該ガラス板が強化ガラス板である請求項１記載の透明構造体。
【請求項５】
２本の独立した電極ラインは該透明導電性膜（Ａ）の周辺部においてコの字型および逆コの字型で形成されている請求項１記載の透明構造体。
【請求項６】
画像表示装置の表面部に装着するための請求項１記載の透明構造体。
【請求項７】
請求項１記載の透明構造体を表面に装着した画像表示装置。
【発明の詳細な説明】
【技術分野】
【０００１】
本発明は、透明構造体に関する。さらに詳しくは、電磁波シールドされた画像表示用の透明構造体であって、電気的接続部の不良の管理や製品の良否の判定の管理が容易な画像表示用の透明構造体に関する。
【背景技術】
【０００２】
近時、液晶を中心とした画像表示機器の発展により、多くの機能を有する表示装置が開発され実用化されている。画像表示の表面は、基本的にはガラス板が設置されている。
一般用のみならず、自動車や航空機に搭載した画像表示装置には、表面ガラスの破損時におけるガラスの飛散防止のためにガラス表面に透明保護フィルム（例えばＰＥＴフィルムに代表されるポリエステルフィルム）が接着されている。この保護フィルムは、ガラスの破損時の飛散防止のみならず、ガラスの強化の目的や光の反射防止の効果も果している。
一方、画像表示装置は、病院用、航空機用および車輌用などの分野において、その装置から発生する電磁波の影響を防止するために、その表示表面に電磁波シールド加工を施すことが要望されている。
この電磁波シールドのためには、画像表示装置のガラス板表面および／または保護フィルムの表面に透明導電性膜（以下“ＩＴＯ膜”と略称することがある）が被覆されている。
【０００３】
ＩＴＯ膜を使用した電磁波シールド透明構造体並びに設計に関しては、透明導電性膜が蒸着処理により被覆されたフィルム（以下“ＩＴＯ膜フィルム”または“複合フィルム”と略称する）または透明導電性膜が被覆されたガラス板（以下“ＩＴＯ膜ガラス”と略称する）を画像表示装置の表面に装着させることにより一般的に組み立てられているが、電磁波シールド効果は不十分である。
ＩＴＯ膜を使用した電磁波シールド機能を有する画像表示構造体の組立てにおいて度度品質の不良が発生する。その原因のいくつかを例示すると以下のとおりである。
【０００４】
（ｉ）ＩＴＯ膜は透明であるため、フィルムまたはガラス板の表面にＩＴＯ膜が被覆されているか否かの確認が目視では困難であり見落としが起る。
（ｉｉ）ＩＴＯ膜の透明性によりフィルムまたはガラス板のＩＴＯ膜が被覆されていない反対面に電極ラインを形成することが起る。
（ｉｉｉ）ＩＴＯ膜は極めて薄い膜であるため組立て作業中に、接触などによりＩＴＯ膜に傷が発生し、その一部が破損し画像表示機能に併害を生じる。その傷の有無は目視で判別することは困難である。
（ｉｖ）ＩＴＯ膜フィルムまたはＩＴＯ膜ガラスの表面電気特性を調べ不良欠陥が存在するか否かを全品検査することは、その作業のコストアップとなり、経済的に不利となる。
（ｖ）ＩＴＯ膜フィルムまたはＩＴＯ膜ガラスの使用のみによって画像表示装置から発生する電磁波を充分にシールドすることは困難である。
【発明の開示】
【発明が解決しようとする課題】
【０００５】
そこで、本発明者は、ＩＴＯ膜フィルムまたはＩＴＯ膜ガラスにおいて、そのＩＴＯ膜面の確認（表裏の判別）およびＩＴＯ膜の表面電気特性の良否、電気接続部の不良の確認が容易かつ簡単に実施できる手段と構造の開発について研究を進めた。
その結果、ＩＴＯ膜フィルムまたはＩＴＯ膜ガラスのＩＴＯ膜面の少なくとも両端部、好適には全周囲の端部に、２本の独立した電極ラインは、銀インキを塗布または印刷により配置することによって、組立て作業においてＩＴＯ膜フィルムまたはＩＴＯ膜ガラスの表裏の判別が容易かつ確実になること、また２つの独立した電極ラインに通電することによってＩＴＯ膜の電気抵抗を測定しＩＴＯ膜の欠陥の有無の確認が簡単に実施できることが判明した。
【０００６】
その上、２つの独立した電極ラインはＩＴＯ膜の周囲の端部に（具体的には画像表示の領域の周辺の見えない部分に）、線状で配置し、その電極ラインは、導電性金属粉末を含有した塗料を塗布することまたは印刷することによって容易に形成できることが判明した。
さらに、ＩＴＯ膜からの２つの独立した電極ラインを、画像表示装置の外部に取り出しアースすることによって、電磁波のシールド効果を高めることが可能であることが判明した。
【課題を解決するための手段】
【０００７】
かくして本発明は前記究明事実に基づいて到達されたものであり、下記（１）〜（７）の電磁波シールド機能を有する画像表示用の透明構造体および画像表示装置が提供される。
【０００８】
（１）プラスチックフィルムおよびガラス板を積層した電磁波シールド機能を有する透明構造体において該プラスチックフィルムまたは該ガラス板には、それらのいずれかの積層面には透明導電性膜（Ａ）が一体化され、その透明導電性膜（Ａ）の周辺部には少なくとも２本の独立した電極ライン（Ｂ）が形成されていることを特徴とする電磁波シールド機能を有する透明構造体。
（２）２本の独立した電極ラインのそれぞれの端部が接続可能となるように配線端子に接続されている前記（１）記載の透明構造体。
（３）該プラスフィルムがポリエチレンテレフタレートフィルムである前記（１）記載の透明構造体。
（４）該ガラス板が強化ガラス板である前記（１）記載の透明構造体。
（５）２本の独立した電極ラインは該透明導電性膜（Ａ）の周辺部においてコの字型および逆コの字型で形成されている前記（１）記載の透明構造体。
（６）画像表示装置の表面部に装着するための前記（１）記載の透明構造体。
（７）前記（１）記載の透明構造体を表面に装着した画像表示装置。
【発明の効果】
【０００９】
本発明の画像表示用の透明構造体はプラスチックフィルムおよびガラス板が積層され、そのいずれかに透明導電性膜（Ａ）が一体化され、透明導電性膜（Ａ）の表面の周囲の両端部に、２本の独立した電極ラインが塗布して配置されたものである。この２つの独立した電極ラインに通電し、２つの電極ライン間の電気抵抗を測定することによって、（ｉ）導電性膜の有無、（ｉｉ）導電性膜の欠陥の有無および電気的接続部の不良の良否が簡単かつ容易に測定でき、画像表示構造体の組立て作業が良好に管理できる。さらに（ｉｉｉ）画像表示装置から発生する電磁波を２つの独立した電極ライオンを通して、外部へアースすることにより、電磁波シールドの効果が極めて向上する。
【発明を実施するための最良の形態】
【００１０】
本発明の透明構造体を図面を用いて具体的に説明する。
【００１１】
図１は、透明構造体のプラスチックフィルムおよびガラス板の積層体の横断面の模式図を示すものであり、この横断面とは画像を見る正面から見て中央部の水平面の断面を示す。図１の態様はガラス板３の表面に透明導電性膜（Ａ）が一体化されて形成されているものである。ガラス板３の表面に一体化された透明導電性膜面２の両端部に２本の電極ライン５および６が形成されている。このガラス板３およびプラスチックフィルム１とは粘着剤４により積層されている。
【００１２】
図２は、図１と同様に本発明の透明構造体のプラスチックフィルムおよびガラス板の積層体の横断面の模式図を示すものであるが、この図２の場合、透明導電性膜（Ａ）がプラスチックフィルム１の表面に一体化された態様（ＩＴＯ膜フィルム）を示す。
従って、図２の態様ではプラスチックフィルム１の表面に一体化された透明導電性膜２の面の両端部に、２本の電極ライン５および６が形成されている。このプラスチックフィルム１およびガラス板３とは、粘着剤４により積層されている。
【００１３】
図１および図２において、ガラス板３またはプラスチックフィルム１の表面に透明導電性膜（ＩＴＯ膜）を一体化したものはそれぞれ市販されている。例えばプラスチックフィルムの場合は、一般的にポリエチレンテレフタレート（ＰＥＴ）フィルムの片面に蒸着やスパッタリング処理によって透明導電性膜が一体化されたものである。通常ＩＴＯ（複合）フィルムと称されている。
【００１４】
図３は、プラスチックフィルム１およびガラス板３を積層する前の、プラスチックフィルム１の面に透明導電性膜を一体化した表面に２つの独立した電極ラインを配置した平面図（或いはガラス板３の面に透明導電性膜を一体化した表面に２つの独立した電極ラインを配置した平面図）である。以下、プラスチックフィルム１の面に透明導電性膜を一体化しその膜面の周囲に電極ラインを配置した平面図について説明するが、ガラス板３の面に透明導電性膜を一体化した場合も同じである。
【００１５】
プラスチックフィルム１の面の透明導電性膜が一体化された表面の周囲端部には電極ライン５および６が塗布され、この２本の電極ライン５および６は互いに独立している。つまり２本の電極ライン５および６はＩＴＯ膜を介してしか電気的に接続されていない。図３は独立した２本の電極ラインがプラスチックフィルム１の表面の周囲の端部にコ字型および逆コ字型に配置されていることを示している。この２本の電極ラインはプラスチックフィルム面の周囲の端部の全体に亘って配置する必要はなく両側面の端部（つまり２本の並行したライン）であってもよい。しかし全体の周囲に配置することが望ましい。
【００１６】
図３に示した電極ライン５および６は、画像表示領域の装着した場合において、その見えない部分の周囲の端部に配置されているのが望ましい。
図３には複合フィルムの独立した２本の電極ライン５および６に電気的に接続するためのフレキシブルティル７が下部に示されている。このフレキシブルティル７は電極ライン５および６のそれぞれと接続するための配線ａおよびｂを内蔵している。２本の電極ライン５および６の下部の端子は、それぞれフレキシブルティルの配線ａおよびｂと電気的に接続しうるようになっている。
【００１７】
フィルムの透明導電性膜（Ａ）の表面に２本の電極ライン５および６を塗布した後、或いはそのフィルムを画像表示のガラス板に積層した後に、２本の電極ライン５および６に、フレキシブルティル７を介して通電し加電することにより電極ライン５および６間の電気抵抗（Ｒａｂ）を測定する。この電気抵抗（Ｒａｂ）の値によってフィルムにおける導電性膜（ＩＴＯ膜）の有無、およびその表面の良否が判断できまたその電気的接続部の不良の有無を容易に確認することができる。特に画像表示装置の組立て作業後に上記電気抵抗（Ｒａｂ）の測定を行った場合、画像表示装置の製品の良否の最終的管理を簡単かつ確実に実施できる利点を有する。
【００１８】
図３に示すようにフレキシブルティル７には、通電、加電するためのコネクター８が通常接続される。このコネクター８はフレキシブルティル７の配線ａおよびｂに通電しうるように接線端子を有している。そのコネクター８は、電気抵抗を測定するための接続端子または電極ラインをアースに接続するための接続端子でもある。
２つの独立した電極ラインは画像表示部からみて両側の端部にそれぞれ並行して配置されていてもよく、また周囲の端部にコ字型および逆コ字型で配置されていてもよい。図３は後者の例であり、より好ましい態様である。
【００１９】
フィルム上またはガラス板上の周辺端部に配置される電極ラインは画像表示面から見えない端部であることが望ましく、また２つの独立した電極ラインは、電気的に接触しないように配置すべきである。
フィルム上またはガラス板上に電極ラインを配置する方法は導電性金属粉末を含有した塗料（ペースト）をそれらの透明導電性膜（ＩＴＯ膜）面の端部に線状に塗布すればよい。導電性金属粉末としては銀、銅、金、ニッケル、アルミニウムまたはタングステンの粉末を挙げることができるがこれらの中で、ペーストの安定性、塗布の容易性、電極の電気特性および価格などの点から銀粉末が最も好ましい。金属粉末の大きさは平均粒径として１〜２０μｍ、好ましくは１〜１５μｍ、特に好ましくは２〜１０μｍである。
【００２０】
ペーストは、金属粉末およびバインダーポリマーより形成され、他に塗布性能の改良のため溶媒が添加されていてもよい。バインダーポリマーとしてはポリビニルブチラールの如きポリビニルエステルやポリアクリル酸エステルが一般的に使用される。ペースト中の金属粉末の含有量は重量で２０〜９５％、好ましくは３０〜９０％の範囲が好適であり、銀粉末の含有するペーストは福田金属箔粉工業株式会社より市販されているので、それを使用することができる。
形成される電極ラインは幅が０．５〜７ｍｍ、好ましくは１〜５ｍｍ程度であって、ラインの厚みは２〜２００μｍ、好ましくは５〜１００μｍの範囲が望ましい。
【００２１】
本発明のプラスチックフィルム１およびガラス板３を積層した透明構造体は、画像表示装置の表面に装着して使用される。かくして画像表示装置から発生する電磁波を効率よくシールドすることが可能となる。画像表示装置としては電磁波が発生するものであればよく、例えば液晶ディスプレイ（ＬＣＤ）、プラズマディスプレイ（ＰＤＰ）或いは長面電界ディスプレイ（ＳＥＤ）が挙げられる。殊に本発明の透明構造体は、電磁波シールド効果に優れているので、航空機用、病院用或いは車輌用などの電磁波の抑制が安全上要望される所に利用される画像表示装置に有利に適用される。
【図面の簡単な説明】
【００２２】
【図１】本発明の透明構造体におけるプラスチックフィルムおよびガラス板の積層体の横断面（積層体の正面からの水平断面）の模式図を示す。
【図２】本発明の透明構造体における他のプラスチックフィルムおよびガラス板の横断面（積層体の正面からの水平断面）の模式図を示す。
【図３】本発明の透明構造体におけるプラスチックフィルムまたはガラス板の平面図の模式図を示す。
【符号の説明】
【００２３】
１．プラスチックフィルム
２．透明導電性膜（Ａ）
３．ガラス板
４．粘着剤
５．電極ライン
６．電極ライン
７．フレキシブルティル
８．コネクター
９．配線ａ
１０．配線ｂ
【図１】
2007248829.tif 000003
【図２】
2007248829.tif 000004
【図３】
2007248829.tif 000005